(57)【要約】    【課題】用紙の排出口の高さを，ユーザに適した高さに簡単に変更できる印刷装置用ラックを提供する。    【解決手段】印刷装置用ラック３０を、印刷装置２０（プリンタや、スキャナユニットとプリンタユニットとが一体化されている複合機等）を載置するための調整台３２と、印刷データ中の情報として，ユーザから印刷装置２０へ通知された調整台３２の高さを示す高さ指定情報が印刷装置２０から送信されてきたときに、その高さ指定情報に応じた高さとなるように、調整台の高さを制御する調整台高さ制御機構（制御ユニット３１等）を備えたラックとしておく。    【選択図】図１
2008126520.tif 000002
【特許請求の範囲】
【請求項１】
印刷装置を載置するための調整台と、
前記印刷装置から、ユーザが指定した前記調整台の高さを指定する高さ指定情報が送信されてきたときに、その高さ指定情報に応じた高さとなるように前記調整台の高さを制御する調整台高さ制御機構と
を備えることを特徴とする印刷装置用ラック。
【請求項２】
印刷装置の構成要素であるスキャナユニットを載置するための第１の調整台と、
前記印刷装置の構成要素であるプリンタユニットを載置するための第２の調整台と、
前記印刷装置から、ユーザが指定した前記第１の調整台の高さと前記第２の調整台の高さとを指定する高さ指定情報が送信されてきたときに、その高さ指定情報に応じた高さとなるように前記第１の調整台及び前記第２の調整台の高さを制御する調整台高さ制御機構と
を備えることを特徴とする印刷装置用ラック。
【請求項３】
前記調整台高さ制御機構が、調整台の高さ制御完了時に、所定の制御完了通知を前記印刷装置へ送信する機構である
を備えることを特徴とする請求項１又は請求項２に記載の印刷装置用ラック。
【請求項４】
前記調整台高さ制御機構が、調整台の高さ制御を開始する前に、調整台の高さが変わることをユーザに通知するための警告音を出力する機構である
を備えることを特徴とする請求項１乃至請求項３のいずれかに記載の印刷装置用ラック。
【請求項５】
前記調整台高さ制御機構が、調整台の高さ制御完了時に、調整台の高さ制御が完了したことをユーザに通知するための警告音を出力する機構である
を備えることを特徴とする請求項１乃至請求項４のいずれかに記載の印刷装置用ラック。
【請求項６】
印刷装置と、前記印刷装置が載置される調整台を有する印刷装置用ラックとを含む印刷システムであって、
前記印刷装置用ラックが、
前記印刷装置から、前記調整台の高さを指定する高さ指定情報が送信されてきたときに、その高さ指定情報に応じた高さとなるように前記調整台の高さを制御してから、高さ制御の完了時に、所定の制御完了通知を前記印刷装置に送信する高さ制御機構を備えたラックであり、
前記印刷装置が、
受信した印刷データに、前記調整台の高さを指定する高さ調整指示情報が含まれていた場合、当該高さ調整指示情報が指定する高さと同じ高さを指定する前記高さ指定情報を前記印刷装置用ラックに送信した後、前記印刷装置用ラックから前記制御完了通知が送信されてきたときに、受信した印刷データの印刷を開始する装置である
を備えることを印刷システム。
【発明の詳細な説明】
【技術分野】
【０００１】
本発明は、印刷装置を載置するための印刷装置用ラックと、印刷装置及び印刷装置用ラックを含む印刷システムとに関する。
【背景技術】
【０００２】
周知のように、一般的な複合機は、原稿台の高さや用紙の排出口の高さを変更できないものとなっており、プリンタは、それを載置しているテーブル等の高さを変えない限り、用紙の排出口の高さを変更できないものとなっている。しかしながら、車椅子使用者や体に障害があるユーザは、原稿台の高さや用紙の排出口の高さが低い方が良いといったように、ユーザによって作業がしやすい原稿台の高さや用紙の排出口の高さがある以上、原稿台の高さや用紙の排出口の高さを簡単に変更できないということは望ましくないことである。
【発明の開示】
【発明が解決しようとする課題】
【０００３】
そこで、本発明の課題は、原稿台の高さや用紙の排出口の高さをユーザに適した高さに簡単に変更できる印刷装置用ラック，印刷システムを提供することにある。
【課題を解決するための手段】
【０００４】
上記課題を解決するために、本発明の第１の態様の印刷装置用ラックは、印刷装置（プリンタや、スキャナユニットとプリンタユニットとが一体化されている複合機等）を載置するための調整台と、印刷装置から、ユーザが指定した調整台の高さを示す高さ指定情報が送信されてきたときに、その高さ指定情報に応じた高さとなるように調整台の高さを制御する調整台高さ制御機構とを備える。
【０００５】
すなわち、この印刷装置用ラックは、ユーザが，調整台の高さを指定すれば、指定した高さに調整台の高さが制御されるラックとなっている。従って、この印刷装置用ラックを用いておけば、原稿台の高さや用紙の排出口の高さをユーザに適した高さに簡単に変更できる作業環境を実現できることになる。
【０００６】
また、本発明の第２の態様の印刷装置用ラックは、印刷装置の構成要素であるスキャナユニットを載置するための第１の調整台と、印刷装置の構成要素であるプリンタユニットを載置するための第２の調整台と、印刷装置（スキャナユニット或いはプリンタユニット）から、ユーザが指定した第１の調整台の高さと第２の調整台の高さとを指定する高さ指定情報が送信されてきたときに、その高さ指定情報に応じた高さとなるように第１の調整台及び第２の調整台の高さを制御する調整台高さ制御機構とを備える。
【０００７】
すなわち、本発明の第２の態様の印刷装置用ラックは、ユーザが，２つの調整台の高さを指定すれば、指定した高さに，各調整台の高さが制御されるラックとなっている。従って、この印刷装置用ラックを用いておけば、原稿台の高さや用紙の排出口の高さをユーザに適した高さに簡単に変更できる作業環境を実現できることになる。
【０００８】
なお、本発明の各態様の印刷装置用ラックに搭載する印刷装置を、その操作パネルを操作することによりユーザが調整台の高さを指定できる装置としておいても良いが、受信した印刷データに、調整台の高さを指定する高さ調整指示情報が含まれていた際に、当該高さ調整指示情報が指定する高さと同じ高さを指定する高さ指定情報を印刷装置用ラックに送信する装置としておくことが望ましい。
【０００９】
また、印刷装置用ラックの調整台高さ制御機構として、調整台の高さ制御完了時に、所定の制御完了通知を印刷装置へ送信する機構を採用しておけば、調整台の高さ調整が終了した後に、印刷装置が印刷データの印刷を開始するシステム（請求項６記載の印刷システム）を実現できることになる。
【００１０】
また、調整台高さ制御機構を、調整台の高さの制御を開始する前に、調整台の高さが変わることをユーザに通知するための警告音を出力する機構や、調整台の高さ制御完了時に、調整台の高さ制御が完了したことをユーザに通知するための警告音を出力する機構としておくことも出来る。
【発明を実施するための最良の形態】
【００１１】
以下、本発明を実施するための最良の形態を、図面を参照して詳細に説明する。
【００１２】
《第１実施形態》
図１に示したように、本発明の第１実施形態に係る印刷システム１０は、印刷装置２０と印刷装置用ラック３０とを組み合わせたシステムである。また、印刷システム１０は、印刷装置２０が，プリンタドライバ４０をインストールした何台かのホストＰＣとネットワーク接続された状態で使用されるシステムとなっている。
【００１３】
まず、この図１と図２とを用いて、印刷装置用ラック３０の構成及び動作を、説明する。
【００１４】
印刷装置用ラック３０（図１）は、印刷装置２０を載置するための調整台３２，調整台３２の高さ（上下方向の位置）を変更するための調整台移動機構（モータ等からなる，図示していない機構），調整台移動機構を制御するための制御ユニット３１等から構成されたラックである。なお、本印刷装置用ラック３０は、請求項１記載の印刷装置用ラックに相当するもの（調整台移動機構と制御ユニット３１とからなる部分が、調整台高さ制御機構に相当するもの）となっている。
【００１５】
この印刷装置用ラック３０内の制御ユニット３１は、ＣＰＵ，印刷装置２０（印刷制御部２２）と通信を行うためのインタフェース回路（本実施形態では、ＵＳＢインタフェース回路），ブザー，ＥＥＰＲＯＭ等から構成されたユニットである。
【００１６】
この制御ユニット３１は、電源が投入されると、図２に示した手順の処理を開始するユニットとなっている。
【００１７】
すなわち、制御ユニット３１は、電源が投入されると、移動指示コマンドの受信を待機している状態（ステップＳ１０１）となる。ここで、移動指示コマンドとは、印刷装置２０が送信する所定形式の情報のことである。詳細（移動指示コマンドの送信タイミング等）は後述するが、この移動指示コマンドは、移動後の調整台３２の高さを、調整台３２の基準高さからのずれ量で指定する調整台高さ指定値（＝移動後の調整台３２の高さ−調整台３２の基準高さ）を含む情報となっている。
【００１８】
制御ユニット３１は、移動指示コマンドを受信した場合（ステップＳ１０１；ＹＥＳ）には、その移動指示コマンド中の調整台高さ指定値と、現調整台高さとから、調整台３２を移動させる必要があるか否かを判断する（ステップＳ１０２）。なお、現調整台高さとは、現在の調整台３２の高さを、調整台３２の基準高さからのずれ量で表した情報（工場出荷時の値は，“０”）のことである。この現調整台高さは、制御ユニット３１内のＥＥＰＲＯＭ上に記憶されている情報であると共に、後述する移動機構制御処理時に，その値が変更される情報となっている。
【００１９】
調整台３２を移動させる必要がないと判断した場合（ステップＳ１０２；ＮＯ）、制御ユニット３１は、所定内容の移動終了メッセージを，移動指示コマンドの送信元（つまり、印刷装置２０）へ送信（ステップＳ１０４）してから、移動指示コマンドの受信を待機している状態（ステップＳ１０１）に戻る。
【００２０】
一方、調整台３２を移動させる必要があると判断した場合（ステップＳ１０２；ＹＥＳ）、制御ユニット３１は、調整台３２の高さが，調整台高さ指定値が示している高さとなるように、調整台移動機構を制御する移動機構制御処理（ステップＳ１０３）を行う。なお、この移動機構制御処理は、調整台３２の移動を開始することをユーザに通知するための警告音を出力した後（警告音をブザーに出力させてから）、調整台移動機構を制御する（調整台３２の移動を開始させる）処理であると共に、調整台３２の移動完了時に、ＥＥＰＲＯＭ上の現調整台高さの値を調整台高さ指定値と同じ値に変更し、調整台３２の移動が完了したことをユーザに通知するための警告音を出力してから、終了する処理となっている。
【００２１】
そして、移動機構制御処理を終えた制御ユニット３１は、移動指示コマンドの受信を待機している状態（ステップＳ１０１）に戻る。
【００２２】
次に、プリンタドライバ４０，印刷装置２０の構成及び動作を、説明する。
【００２３】
印刷システム１０（印刷装置２０）と接続される各ホストＰＣ（図１参照）にインストールされているプリンタドライバ４０は、図３に示した構成の印刷設定ダイアログボックスを表示するプログラムである。なお、この印刷設定ダイアログボックス上の，高さ調整チェックボックス４１，調整台高さ設定用アイテム４２を除いたアイテムは、既存のプリンタドライバが表示する印刷設定ダイアログボックス上にも設けられているものである。
【００２４】
そして、プリンタドライバ４０は、この印刷設定ダイアログボックス上の高さ調整チェックボックス４１がチェックされている場合には、調整台高さ設定用アイテム４２に設定されている数値を含む高さ調整コマンド（一種のジョブ制御コマンド）を，その先頭部分に含めた印刷データを生成して印刷装置２０へ送信し、高さ調整チェックボックス４１がチェックされていない場合には、通常の印刷データ（高さ調整コマンドを含まない印刷データ）を生成して印刷装置２０へ送信するプログラムとなっている。
【００２５】
印刷装置２０（図１参照）は、操作パネル２１，印刷制御部２２，印刷機構部２３を備えた装置である。
【００２６】
この印刷装置２０が備える印刷機構部２３は、印刷エンジン（カラー印刷が可能なもの），給紙装置等からなるユニットである。操作パネル２１は、ユーザとの間のインタフェース手段として、印刷装置２０の筐体上に設けられているユニット（小サイズのＬＣＤ，押しボタンスイッチ等で構成されたユニット）である。
【００２７】
印刷制御部２２は、印刷装置２０をプリンタ（ネットワークプリンタ）として機能させるための、ＣＰＵ，ＲＯＭ，ＲＡＭ，ネットワークインタフェース回路，ＵＳＢインタフェース回路，ＡＳＩＣ等からなるユニットである。
【００２８】
この印刷制御部２２は、ホストＰＣ（プリンタドライバ４０）が送信した印刷データを受信した場合、図４に示した手順の処理を実行するユニットとなっている。
【００２９】
すなわち、ホストＰＣ（プリンタドライバ４０）が送信した印刷データを受信した場合、印刷制御部２２は、まず、受信した印刷データが，高さ調整コマンドを含む印刷データ（図では、高さ調整コマンド含有印刷データ）であるか否かを判断する（ステップＳ２０１）。
【００３０】
そして、印刷制御部２２は、受信した印刷データが，高さ調整コマンドを含まない印刷データであった場合（ステップＳ２０１；ＮＯ）には、その印刷データに応じた内容の印刷を印刷機構部２３に行わせるための印刷制御処理（ステップＳ２０４）を行ってから、この図４の処理（受信した印刷データに対する処理）を終了する。
【００３１】
一方、受信した印刷データが，高さ調整コマンドを含む印刷データであった場合（ステップＳ２０１；ＹＥＳ）、印刷制御部２２は、高さ調整コマンド中の数値（調整台高さ設定用アイテム４２にユーザが設定した数値）を，調整台高さ指定値として含めた移動指示コマンドを印刷装置用ラック３０（制御ユニット３１）へ送信する（ステップＳ２０２）。その後、印刷制御部２２は、印刷装置用ラック３０から移動終了メッセージが送信されてくるのを監視する状態（ステップＳ２０３）となり、印刷装置用ラック３０から移動終了メッセージを送信されたきた際（ステップＳ２０３；ＹＥＳ）に、受信した印刷データに対する印刷制御処理（ステップＳ２０４）を開始する。そして、印刷制御処理が完了したときに、印刷制御部２２は、この図の処理を終了する。
【００３２】
以上の説明から明らかなように、本実施形態に係る印刷システム１０は、各ユーザが調整台の高さを指定しておけば、各ユーザが印刷を行った際（プリンタドライバ４０に印刷データを送信させた際）に、調整台３２の高さが指定した高さに制御されてから、印刷が行われることになるシステムとなっている。従って、この印刷システムをオフィス等に設置しておけば、各ユーザが、自身に適した高さの排出口から印刷結果を取り出せる作業環境を実現できることになる。
【００３３】
《第２実施形態》
図５に示したように、本発明の第２実施形態に係る印刷システム５０は、印刷装置６０〔スキャナユニット６０ａとプリンタユニット６０ｂとをケーブルで接続した構成を有する複合機〕と、印刷装置用ラック７０とを、組み合わせたシステムである。また、印刷システム５０は、印刷装置６０（プリンタユニット６０ｂ）が，上記したプリンタドライバ４０と同機能のプリンタドライバ８０（高さ調整コマンドを含む印刷データを送信可能なドライバ）をインストールした何台かのホストＰＣとネットワーク接続された状態で使用されるシステムとなっている。
【００３４】
この印刷システム５０に用いられている印刷装置用ラック７０は、スキャナユニット６０ａを載置するための調整台７３，プリンタユニット６０ｂを載置するための調整台７２，各調整台７２，７３の高さ（上下方向の位置）を変更するための調整台移動機構（図示せず），制御ユニット７１等からなるラックである。
【００３５】
印刷装置用ラック７０内の制御ユニット７１は、制御ユニット３１とほぼ同内容の処理（図２参照）を行うユニットである。
【００３６】
ただし、制御ユニット７１が受信する移動指示コマンド（プリンタユニット６０ｂが送信する移動指示コマンド）は、調整台７２に関する高さ指定値（以下、スキャナ台高さ指定値と表記する）と，調整台７３に関する高さ指定値（以下、プリンタ台高さ指定値と表記する）とを含むものとなっている。そして、制御ユニット７１は、移動機構制御処理（図２のステップＳ１０３参照）として、調整台７２の高さが，スキャナ台高さ指定値が示している高さとなり、調整台７３の高さが，プリンタ台高さ指定値が示している高さとなるように、調整台移動機構を制御する処理を行うユニットとなっている。
【００３７】
印刷装置６０（図５参照）の構成要素であるスキャナユニット６０ａは、図６に示したように、通常のスキャナに、操作パネルを付加した装置に相当するユニットである。このスキャナユニット６０ａの操作パネル（以下、メイン操作パネルと表記する）は、図７に示したように、ＬＣＤ６５や、コピーボタン６６，スキャンボタン６７，上下左右ボタン，２つのスタートボタン（モノクロスタートボタン及びカラースタートボタン）等を備えたものとなっている。
【００３８】
プリンタユニット６０ｂ（図５参照）は、操作パネル６１，印刷制御部６２，印刷機構部６３を備えた装置である。
【００３９】
このプリンタユニット６０ｂが備える印刷機構部６３は、印刷エンジン（カラー印刷が可能なもの），給紙装置等からなるユニットである。操作パネル６１は、ユーザとの間のインタフェース手段として、プリンタユニット６０ｂの筐体上に設けられているユニット（小サイズのＬＣＤ，押しボタンスイッチ等で構成されたユニット）である。
【００４０】
印刷制御部６２は、印刷装置５０をコピー機として機能させる動作モード（以下、コピーモードと表記する）と、印刷装置５０をスキャン処理装置（セットされている原稿の画像データファイルを生成して指定された装置内に保存する装置）として機能させる動作モード（以下、スキャンモードと表記する）と、印刷装置５０をネットワークプリンタとしてとして機能させる動作モード（以下、プリンタモードと表記する）とを有するユニットである。
【００４１】
この印刷制御部６２は、コピーボタン６６，スキャンボタン６７が押下された際に、それぞれ、コピーモード，スキャンモードでの動作を開始するユニットであると共に、メイン操作パネルが操作されない状態が所定時間以上継続した場合に、プリンタモードでの動作を開始するユニットとなっている。また、印刷制御部６２は、コピーモード，スキャンモードでの動作中も、印刷データを受信できるユニットともなっている。
【００４２】
さらに、印刷制御部６２は、以下のような機能を有するユニットとなっている。
【００４３】
印刷制御部６２は、動作モードがコピーモードである場合には、ＬＣＤ６５上に図８に示したような構成のメニュー画面、すなわち、コピー処理条件と調整台７２の高さ（“スキャナ台高さ”）と調整台７３の高さ（“プリンタ台高さ”）とをユーザが指定できるメニュー画面を表示する。また、印刷制御部６２は、このメニュー画面をＬＣＤ６５上に表示している状態で、メイン操作パネルに対して所定の操作（本実施形態では、２つのスタートボタンの同時押下）がなされた場合には、指定されている調整台７２の高さ，調整台７３の高さを、それぞれ、スキャナ台高さ指定値，プリンタ台高さ指定値として含めた移動指示コマンドを印刷装置用ラック７０へ送信する。そして、印刷制御部６２は、各種操作を受け付けない状態となり、移動終了メッセージが返送されてきたときに、通常の状態（各種の操作を受け付ける状態）に戻る。
【００４４】
また、印刷制御部６２は、動作モードがスキャンモードである場合には、ＬＣＤ６５上に図９に示したような構成のメニュー画面、すなわち、スキャン処理条件と調整台７２の高さ（“スキャナ台高さ”）とをユーザが指定できるメニュー画面を、表示する。
【００４５】
そして、印刷制御部６２は、このメニュー画面をＬＣＤ６５上に表示している状態で、上記した所定の操作がなされた場合には、指定されている調整台７２の高さ，“０”を，それぞれ，スキャナ台高さ指定値，プリンタ台高さ指定値として含めた移動指示コマンドを印刷装置用ラック７０へ送信する。その後、印刷制御部６２は、操作を受け付けない状態となり、移動終了メッセージが返送されてきたときに、通常の状態に戻る。
【００４６】
また、印刷制御部６２は、ホストＰＣ（プリンタドライバ８０）が送信した印刷データを受信した場合には、図１０に示した手順の処理を実行するユニットとなっている。
【００４７】
すなわち、印刷データを受信した場合、印刷制御部６２は、まず，受信した印刷データが，高さ調整コマンドを含む印刷データ（図では、高さ調整コマンド含有印刷データ）であるか否かを判断する（ステップＳ３０１）。
【００４８】
受信した印刷データが，高さ調整コマンドを含まない印刷データであった場合（ステップＳ３０１；ＮＯ）、印刷制御部６２は、自ユニットの動作モードが、コピーモードであるか否かを判断（ステップＳ３０７）し、動作モードが、コピーモードでなかった場合（ステップＳ３０７；ＮＯ）には、受信した印刷データに応じた内容の印刷を印刷機構部６３に行わせるための印刷制御処理（ステップＳ３０６）を行ってから、この図の処理を終了する。また、印刷制御部６２は、動作モードがコピーモードであった場合（ステップＳ３０７；ＹＥＳ）には、コピー作業が完了する（プリンタモードへの移行条件が満たされる）のを待機する処理（ステップＳ３０８）を行ってから、受信した印刷データに対する印刷制御処理（ステップＳ３０４）を開始する。
【００４９】
一方、受信した印刷データが，高さ調整コマンドを含む印刷データであった場合（ステップＳ３０１；ＹＥＳ）、印刷制御部６２は、自ユニットの動作モードが、プリンタモードであるか否かを判断する（ステップＳ３０２）。そして、印刷制御部６２は、動作モードが、プリンタモードであった場合（ステップＳ３０２；ＹＥＳ）には、高さ調整コマンド中の数値を、スキャナ台高さ指定値及びプリンタ台高さ指定値として含めた移動指示コマンドを印刷装置用ラック７０へ送信する（ステップＳ３０４）。そして、印刷制御部６２は、移動終了メッセージが返送されてくるのを待機（ステップＳ３０５）し、移動終了メッセージが返送されてきたとき（ステップＳ３０５；ＹＥＳ）に、受信した印刷データに対する印刷制御処理（ステップＳ３０４）を開始する。
【００５０】
また、印刷制御部６２は、自ユニットの動作モードが、プリンタモードでなかった場合（ステップＳ３０２）には、コピー作業或いはスキャン作業が終了する（プリンタモードへの移行条件が満たされる）のを待機する処理（ステップＳ３０３）を行ってから、受信した印刷データに対する印刷制御処理（ステップＳ３０４）を開始する。
【００５１】
以上、説明したように、本実施形態に係る印刷システム５０は、メイン操作パネルを操作することにより、調整台７２，７３の高さ（或いは、調整台７３の高さのみ）を指定すれば、指定した高さ（或るいは、基準高さ）に，調整台７２、７３の高さが制御されるシステムとなっている。従って、この印刷システムをオフィス等に設置しておけば、各ユーザが、自身に適した高さの排出口からコピー結果を取り出せると共に、自身に適した高さの原稿台上に原稿をセットできる作業環境を実現できることになる。
【００５２】
また、印刷システム５０は、高さ調整コマンドを含む印刷データの受信時に、調整台７２の高さをユーザによって指定された高さに制御する際には、スキャナユニット６０ａとプリンタユニット６０ｂとの間の間隔が標準的な間隔となるように、調整台７３の高さを制御するシステム（高さ調整コマンドを含む印刷データが送信されてきた場合、スキャナ台高さ指定値，プリンタ台高さ指定値が、いずれも，高さ調整コマンド中の数値と一致している移動指示コマンドが、プリンタユニット６０ｂから制御ユニット７１へ送信されるシステム）となっている。従って、この印刷システム５０は、スキャナユニット６０ａとプリンタユニット６０ｂとの間が狭いため、印刷結果が取り出しにくいといったことも生じないシステムとなる。
【００５３】
《変形形態》
上記した印刷システム１０，５０は、各種の変形を行うことが出来る。たとえば、印刷システム１０，５０を、調整台３２等の移動完了後、印刷データの印刷が開始されるよう構成しているのは、移動中の調整台３２等の振動により印字ずれや紙ジャムが発生することを防止するためである。従って、印刷装置用ラック３０，７０として、調整台３２，７２，７３移動時に振動が生じないものを採用する場合には、印刷装置２０，５０を、高さ調整コマンド含有印刷データの受信時に、即座に印刷を開始する装置としておくことが出来る。
【００５４】
印刷システム１０，５０は、調整台３２等の移動開始時／移動完了時に，印刷装置用ラック３０，７０が警告音を出力するシステムであったが、印刷システム１０，５０を、印刷装置２０，６０が警告音を出力する（或いは、ＬＣＤのバックライトをＯＮ／ＯＦＦを繰り返すといったような、ユーザが，調整台３２等の移動の開始や終了が分かる処理を行う）システムに変形することが出来る。また、印刷システム１０，５０を、警告音を出力しないものに変形しておくことも出来る。ただし、調整台３２等の移動開始時に警告音を出力しないようにしておいた場合には、突然、調整台３２等が動き出す場合があることになる。また、移動完了時に警告音が出力されれば、その警告音が聞こえたときに印刷結果を取りに行くといったことが可能となるので、印刷システム１０，５０は、調整台３２等の移動開始時及び移動完了時に警告音を出力するものとしておくことが望ましい。
【００５５】
また、印刷システム１０，５０を、印刷装置２０，６０に、印刷装置用ラック３０，７０が組み込まれているシステムに変形することも出来る。
【図面の簡単な説明】
【００５６】
【図１】第１実施形態に係る印刷システムの構成，使用形態の説明図。
【図２】第１実施形態に係る印刷装置用ラック内の制御ユニットが実行する処理の流れ図。
【図３】第１実施形態に係る印刷装置用のプリンタドライバが表示する印刷設定ダイアログボックスの説明図。
【図４】第１実施形態に係る印刷装置にて，印刷データ受信時の実行される処理のた流れ図。
【図５】第２実施形態に係る印刷システムの構成，使用形態の説明図。
【図６】第２実施形態に係る印刷システムの外観図。
【図７】第２実施形態に係るスキャナユニットが備える操作パネルの説明図。
【図８】第２実施形態に係るスキャナユニットの操作パネルのＬＣＤ上に表示されるメニュー画面の説明図。
【図９】第２実施形態に係るスキャナユニットの操作パネルのＬＣＤ上に表示されるメニュー画面の説明図。
【図１０】第２実施形態に係る印刷装置にて，印刷データ受信時の実行される処理のた流れ図。
【符号の説明】
【００５７】
１０，５０  印刷システム、  ２０，６０  印刷装置、  ２１，６１  操作パネル
２２，６２  印刷制御部、  ２３，６３  印刷機構部
３０，７０  印刷装置用ラック、  ３１，７１  制御ユニット
３２，７２，７３  調整台、  ４０，８０  プリンタドライバ
４１  調整チェックボックス、  ４２  設定用アイテム
６０ａ  スキャナユニット、  ６０ｂ  プリンタユニット
６５  ＬＣＤ、  ６６  コピーボタン、  ６７  スキャンボタン
【図１】
2008126520.tif 000003
【図２】
2008126520.tif 000004
【図３】
2008126520.tif 000005
【図４】
2008126520.tif 000006
【図５】
2008126520.tif 000007
【図６】
2008126520.tif 000008
【図７】
2008126520.tif 000009
【図８】
2008126520.tif 000010
【図９】
2008126520.tif 000011
【図１０】
2008126520.tif 000012